(57)【特許請求の範囲】
【請求項１】
プロピレングリコールジアルキルエーテル（末端エーテル鎖非対称）、ジプロピレングリコールジアルキルエーテル（末端エーテル鎖非対称）、及び乳酸アルキルアセテートから選ばれる少なくとも１種を含有する積層セラミック層に配線又は塗膜を形成するためのペーストに使用される溶剤組成物。
【請求項２】
プロピレングリコールメチルプロピルエーテル、プロピレングリコールブチルメチルエーテル、プロピレングリコールメチルペンチルエーテル、ジプロピレングリコールメチルプロピルエーテル、ジプロピレングリコールブチルメチルエーテル、ジプロピレングリコールメチルペンチルエーテル、及び乳酸エチルアセテートから選ばれる少なくとも１種を含有する請求項１に記載の積層セラミック層に配線又は塗膜を形成するためのペーストに使用される溶剤組成物。
【請求項３】
積層セラミック層が積層セラミックコンデンサを構成する積層セラミック層である請求項１又は２に記載の積層セラミック層に配線又は塗膜を形成するためのペーストに使用される溶剤組成物。
【発明の詳細な説明】
【技術分野】
【０００１】
本発明は、積層セラミック部品製造工程において、被塗布面を有する部材（以後、「被塗布面部材」と称する場合がある）に塗布することにより配線又は塗膜を形成することができるペーストに含有される積層セラミック部品製造用溶剤組成物に関する。
【背景技術】
【０００２】
積層セラミック部品としては、コンデンサ、インダクタ、バリスタ、サーミスタ、スピーカ、アクチュエータ、アンテナ、固体酸化物燃料電池（SOFC）などが知られている。これらはセラミック層又はセラミック層と導体層からなる薄層を重ね合わて形成される。コンデンサ、インダクタ、バリスタ、サーミスタ、スピーカ、アクチュエータ、アンテナはセラミック層と導体層を組み合わせて積層したものが主であり、固体酸化物燃料電池（SOFC）はセラミック層のみを複数層積層したものが主である。
【０００３】
セラミック層等の薄層を積層する方法としては、焼成した層の上に配線又は塗膜を形成するペーストを塗布し、焼成するという工程を繰り返す方法（連続焼成方法）や、配線又は塗膜を形成するペーストの塗布、乾燥を繰り返し行うことで積層シートを形成し、その後一括して焼成する方法、前記積層シートを更に重ね合わせて圧着することで高積層化し、その後一括して焼成する方法等の一括焼成方法が知られている。これらの積層方法のなかでも、生産性に優れ、コスト削減につながる点で、焼成処理を施す前に多層積層し、その後一括して焼成する方法（一括焼成方法）が一般的である。
【０００４】
積層セラミック部品の一例として積層セラミックコンデンサは、一般的に、次のような工程を経て製造される。
１：セラミックスの粉末をポリビニルブチラール等のポリビニルアセタール樹脂又はアクリル樹脂等のバインダー樹脂と溶剤で分散させてスラリーとし、シート状に形成してグリーンシートを得る。
２：ニッケル、パラジウム等の導電性金属材料、エチルセルロース、及びターピネオール等の有機溶剤を主成分とする導体ペーストを、グリーンシート上にスクリーン印刷法等により塗布し配線又は塗膜を形成する。
３：上記導体ペースト中の有機溶剤を乾燥させる。
４：配線又は塗膜が形成されたグリーンシートを所定寸法に切断し、複数枚積み重ねて加熱圧着して積層体とする。
５：該積層体に電極等を取り付け、高温で焼成させると積層セラミックコンデンサが得られる。
【０００５】
上記工程において、導体ペーストをグリーンシート上に塗布すると、導体ペースト中の有機溶剤がグリーンシートに含まれるバインダー樹脂を溶解する現象が起こる場合がある。この現象はシートアタック現象と呼ばれている。シートアタック現象は、積層セラミックコンデンサのセラミック層に穴や皺を発生させ、配線又は塗膜形成の不良やショート等による歩留まりの低下を引き起こす原因となる。
【０００６】
このような問題は一括焼成方法により製造される他の積層セラミック部品においても同様に生じる。従来は各層の膜厚が厚かったために被塗布面部材への侵食の問題はそれほど大きくなかった。しかし、近年、積層セラミック部品の高性能化、小型化に伴い、装置を構成する導体層、セラミック層の薄層化が求められるようになり、その結果として、被塗布面部材への侵食が顕著に認められるようになった。
【０００７】
被塗布面部材への侵食を抑制する方法として、配線又は塗膜を形成するペーストに使用する有機溶剤の改善が種々検討された。例えば、特許文献１、２には、有機溶剤としてターピネオール水素添加物、ターピネオールのアセテート又はターピネオール水素添加物のアセテートを用いることが開示されている。しかしながら、上記有機溶剤を使用するだけでは被塗布面部材への侵食を完全に防ぐことが難しく、被塗布面部材を構成するバインダー樹脂として汎用されるポリビニルブチラール樹脂においてもブチラール化度が低いものを選択して使用する必要があった。また、配線又は塗膜を形成するペーストのバインダー樹脂としてエチルセルロースを使用する場合は、エチルセルロースの溶解性が低いため、前記ペーストの経時的粘度変動が大きく、印刷時に不良を引き起こしやすいという問題があった。
【０００８】
また、特許文献３には、配線又は塗膜を形成するペーストに使用する有機溶剤として、ヘキサン酸エチル、酢酸２−エチルヘキシル等を用いることが開示されている。しかしながら、ヘキサン酸エチル、酢酸２−エチルヘキシル等の有機溶剤は、乾燥工程における温度上昇により被塗布面部材に含まれるバインダー樹脂の溶解性が高まるため、被塗布面部材への侵食を効果的に防止することができないという問題があった。
【０００９】
特許文献４には、配線又は塗膜を形成するペーストに使用する有機溶剤として、ポリビニルブチラール等のポリビニルアセタール樹脂やアクリル樹脂等のバインダー樹脂、及びエチルセルロースが不溶性を示し、製造工程で使用可能な温度帯の上限近くに沸点を有するトリアセチン（沸点：２６０℃）をベースとし、これにエチルセルロースが可溶性を示す、低沸点の有機溶剤を特定の割合で加えた溶剤組成物を用いることで被塗布面部材への侵食を防止する発明が開示されている。しかしながら該溶剤組成物を含有するペーストを塗布した後、常圧加熱乾燥する場合は長時間の加熱を要するが、長時間の加熱によりポリビニルアセタール樹脂をバインダー樹脂とする積層シートが軟化、変形してしまうという問題が認められた。また、近年は、積層セラミック部品１層当たりの厚みが薄くなり積層数が増える傾向があり、１層当たりに従来同様の乾燥時間をかけると積層セラミック部品１個当たりの製造時間が延びることから、生産効率が落ちるという問題も指摘されている。そのため、配線又は塗膜を形成するペーストを被塗布面部材に塗布する時には蒸発することがなく、低温乾燥条件（例えば、４０〜１００℃）において、短時間で蒸発する溶剤が求められているが、特許文献４に記載の溶剤組成物には、前記低温乾燥条件では蒸発速度が遅いトリアセチンを多く含むため、低温条件での乾燥時間を短縮することは困難であった。
【先行技術文献】
【特許文献】
【００１０】
【特許文献１】特開平０７−２４０３４０号公報
【特許文献２】特許第２９７６２６８号公報
【特許文献３】特開２００５−１１６５０４号公報
【特許文献４】特開２００９−１４７２０２号公報
【発明の概要】
【発明が解決しようとする課題】
【００１１】
従って、本発明の目的は、エチルセルロース等のバインダー樹脂のバインダー性能を十分に発揮させることができ、被塗布面部材への侵食を生じることなく微細パターン又は薄膜を精度良く形成することができ、且つ、蒸発乾燥が容易で積層セラミック部品の生産効率を著しく向上させることができる積層セラミック部品製造用溶剤組成物を提供することにある。
【課題を解決するための手段】
【００１２】
本発明者は、上記課題を解決するため鋭意検討した結果、エチルセルロースの溶解性は高く、ポリビニルアセタール樹脂については広いブチラール化度のものが不溶性を示す溶剤組成物、すなわち、エチルセルロースとポリビニルアセタール樹脂に対する溶解性のバランスに優れる溶剤であって、沸点がさほど高くないアルキレングリコールジアルキルエーテル（末端エーテル鎖非対称）、ジアルキレングリコールジアルキルエーテル（末端エーテル鎖非対称）、及び乳酸アルキルアセテートから選ばれる少なくとも１種を積層セラミック部品製造用溶剤組成物として使用すると、微細パターン又は薄膜を精度良く形成することができ、被塗布面部材への侵食を防止することができると共に、蒸発乾燥に要する時間を短縮することができるため、積層シートの軟化、変形を防止することができ、積層セラミック部品の製造効率を著しく向上させることができることを見出した。本発明はこれらの知見に基づいて完成させたものである。
【００１３】
すなわち、本発明はプロピレングリコールジアルキルエーテル（末端エーテル鎖非対称）、ジプロピレングリコールジアルキルエーテル（末端エーテル鎖非対称）、及び乳酸アルキルアセテートから選ばれる少なくとも１種を含有する積層セラミック層に配線又は塗膜を形成するためのペーストに使用される溶剤組成物を提供する。
【００１４】
本発明における積層セラミック層に配線又は塗膜を形成するためのペーストに使用される溶剤組成物としては、なかでも、プロピレングリコールメチルプロピルエーテル、プロピレングリコールブチルメチルエーテル、プロピレングリコールメチルペンチルエーテル、ジプロピレングリコールメチルプロピルエーテル、ジプロピレングリコールブチルメチルエーテル、ジプロピレングリコールメチルペンチルエーテル、及び乳酸エチルアセテートから選ばれる少なくとも１種を含有することが好ましい。
【００１５】
積層セラミック層としては積層セラミックコンデンサを構成する積層セラミック層であることが好ましい。
尚、本明細書には上記発明の他に、アルキレングリコールジアルキルエーテル（末端エーテル鎖非対称）、ジアルキレングリコールジアルキルエーテル（末端エーテル鎖非対称）、及び乳酸アルキルアセテートから選ばれる少なくとも１種を含有する積層セラミック部品製造用溶剤組成物についても記載する。
【発明の効果】
【００１６】
本発明の積層セラミック部品製造用溶剤組成物は、被塗布面部材形成にバインダー樹脂として使用されるポリビニルブチラール等のポリビニルアセタール樹脂などを溶解することなく、配線又は塗膜を形成するペーストにバインダー樹脂として使用されるエチルセルロースなどを溶解する性質を有するアルキレングリコールジアルキルエーテル（末端エーテル鎖非対称）、ジアルキレングリコールジアルキルエーテル（末端エーテル鎖非対称）、及び乳酸アルキルアセテートから選ばれる少なくとも１種を含有するため、ニッケル、パラジウム等の導電性金属材料やセラミック材料とエチルセルロース等のバインダー樹脂とを混合することにより得られる配線又は塗膜を形成するペーストは、微細パターン又は薄膜を精度良く形成することができ、配線パターン又は塗膜の微細化、高密度配線化に対応することができる。また、優れた被塗布面部材への侵食抑制又は防止効果を発揮することができる。その上、アルキレングリコールジアルキルエーテル（末端エーテル鎖非対称）、ジアルキレングリコールジアルキルエーテル（末端エーテル鎖非対称）、及び乳酸アルキルアセテートは、低温条件でも、速やかに乾燥させることができ、乾燥時間を短縮することが可能となる。それにより、加熱乾燥工程での積層シートの軟化、変形を防止することができ、積層セラミック部品の製造効率を著しく向上させることができる。
【発明を実施するための形態】
【００１７】
本発明の積層セラミック部品製造用溶剤組成物は、アルキレングリコールジアルキルエーテル（末端エーテル鎖非対称）、ジアルキレングリコールジアルキルエーテル（末端エーテル鎖非対称）、及び乳酸アルキルアセテートから選ばれる少なくとも１種を含有することを特徴とする。なお、本発明の積層セラミック部品製造用溶剤組成物はトリアセチンを配合する必要はなく、配合したとしても１重量％未満であることが好ましい。
【００１８】
本発明に係る積層セラミック部品製造用溶剤組成物中の、アルキレングリコールジアルキルエーテル（末端エーテル鎖非対称）、ジアルキレングリコールジアルキルエーテル（末端エーテル鎖非対称）、及び乳酸アルキルアセテートから選ばれる少なくとも１種の含有量（２種以上含有する場合はその合計含有量）は、例えば、５０重量％以上であり、なかでも８０重量％以上が好ましく、特に９０重量％以上が好ましく、９５重量％以上であることが最も好ましい。
【００１９】
アルキレングリコールジアルキルエーテル（末端エーテル鎖非対称）としては、例えば、エチレングリコールエチルメチルエーテル、エチレングリコールメチルプロピルエーテル、エチレングリコールブチルメチルエーテル、エチレングリコールメチルペンチルエーテル、エチレングリコールエチルプロピルエーテル、エチレングリコールブチルエチルエーテル、エチレングリコールエチルペンチルエーテル、エチレングリコールブチルプロピルエーテル、エチレングリコールペンチルプロピルエーテル、エチレングリコールブチルペンチルエーテルなどの末端エーテル鎖部分が異なるエチレングリコールジアルキルエーテル（直鎖、分岐鎖の違いも異種とする）；プロピレングリコールエチルメチルエーテル、プロピレングリコールメチルプロピルエーテル、プロピレングリコールブチルメチルエーテル、プロピレングリコールメチルペンチルエーテル、プロピレングリコールエチルプロピルエーテル、プロピレングリコールブチルエチルエーテル、プロピレングリコールエチルペンチルエーテル、プロピレングリコールブチルプロピルエーテル、プロピレングリコールペンチルプロピルエーテル、プロピレングリコールブチルペンチルエーテルなどの末端エーテル鎖部分が異なるプロピレングリコールジアルキルエーテル（直鎖、分岐鎖の違いも異種とする）（異性体も含む）等を挙げることができる。これらの中でもプロピレングリコールメチルプロピルエーテル、プロピレングリコールブチルメチルエーテル、プロピレングリコールメチルペンチルエーテルが好ましく用いられる。
【００２０】
ジアルキレングリコールジアルキルエーテル（末端エーテル鎖非対称）としては、例えば、ジエチレングリコールエチルメチルエーテル、ジエチレングリコールメチルプロピルエーテル、ジエチレングリコールブチルメチルエーテル、ジエチレングリコールメチルペンチルエーテル、ジエチレングリコールエチルプロピルエーテル、ジエチレングリコールブチルエチルエーテル、ジエチレングリコールエチルペンチルエーテル、ジエチレングリコールブチルプロピルエーテル、ジエチレングリコールペンチルプロピルエーテル、ジエチレングリコールブチルペンチルエーテルなどの末端エーテル鎖部分が異なるジエチレングリコールジアルキルエーテル（直鎖、分岐鎖の違いも異種とする）；ジプロピレングリコールエチルメチルエーテル、ジプロピレングリコールメチルプロピルエーテル、ジプロピレングリコールブチルメチルエーテル、ジプロピレングリコールメチルペンチルエーテル、ジプロピレングリコールエチルプロピルエーテル、ジプロピレングリコールブチルエチルエーテル、ジプロピレングリコールエチルペンチルエーテル、ジプロピレングリコールブチルプロピルエーテル、ジプロピレングリコールペンチルプロピルエーテル、ジプロピレングリコールブチルペンチルエーテルなどの末端エーテル鎖部分が異なるジプロピレングリコールジアルキルエーテル（直鎖、分岐鎖の違いも異種とする）（異性体も含む）等を挙げることができる。これらの中でもジプロピレングリコールメチルプロピルエーテル、ジプロピレングリコールブチルメチルエーテル、ジプロピレングリコールメチルペンチルエーテルが好ましく用いられる。
【００２１】
乳酸アルキルアセテートとしては、アルキル基が直鎖アルキル基又は分岐アルキル基の何れであってもよく、例えば、乳酸メチルアセテート、乳酸エチルアセテート、乳酸プロピルアセテート、乳酸イソプロピルアセテート、乳酸ブチルアセテート、乳酸ｔ−ブチルアセテート等を挙げることができる。本発明においては、これらの中でも乳酸エチルアセテートが好ましく用いられる。
【００２２】
本発明におけるアルキレングリコールジアルキルエーテル（末端エーテル鎖非対称）、ジアルキレングリコールジアルキルエーテル（末端エーテル鎖非対称）、及び乳酸アルキルアセテートとしては、なかでも、沸点が１２５℃以上、２５０℃以下のものが好ましい。沸点が上記範囲を上回ると、低温条件において速やかに乾燥させることが困難となる傾向があり、一方、沸点が上記範囲を下回ると、溶媒が配線又は塗膜を形成するペースト調整時若しくは塗布時に揮発し、組成が変動する恐れがあり、これによって安定した配線又は塗膜形成が困難となる傾向がある。
【００２３】
また、本発明においては、前記、アルキレングリコールジアルキルエーテル（末端エーテル鎖非対称）、ジアルキレングリコールジアルキルエーテル（末端エーテル鎖非対称）、及び乳酸アルキルアセテート以外に必ずしも他の溶剤を添加する必要は無い。しかし、その効果を損なわない範囲であれば、他の有機溶剤、添加剤を添加することができ、用途に合わせて物性を調整することができる。添加することができる溶剤としては、例えば、シクロアルキルアルコール、シクロアルキルアセテート、アルキレングリコール、アルキレングリコールジアセテート、アルキレングリコールモノアルキルエーテル、上記以外のアルキレングリコールジアルキルエーテル、アルキレングリコールモノアルキルエーテルアセテート、ジアルキレングリコールモノアルキルエーテル、上記以外のジアルキレングリコールジアルキルエーテル、ジアルキレングリコールモノアルキルエーテルアセテート、トリアルキレングリコールモノアルキルエーテル、トリアルキレングリコールモノアルキルエーテルアセテート、３−メトキシブタノール、３−メトキシブタノールアセテート、テトラヒドロフルフリルアルコール、テトラヒドロフルフリルアルコールアセテート、テルペン系化合物とその誘導体等を挙げることができる。
【００２４】
シクロアルキルアルコールとしては、例えば、シクロヘキサノール、シクロペンタノール、シクロオクチルアルコール、メチルシクロヘキシルアルコール、エチルシクロヘキシルアルコール、プロピルシクロヘキシルアルコール、イソプロピルシクロヘキシルアルコール、ブチルシクロヘキシルアルコール、イソブチルシクロヘキシルアルコール、ｓ−ブチルシクロヘキシルアルコール、ｔ−ブチルシクロヘキシルアルコール、ペンチルシクロヘキシルアルコール等のＣ1-5アルキル基等の置換基を有していているシクロアルキルアルコール；３員〜１５員のシクロアルキルアルコール等を挙げることができる。
【００２５】
シクロアルキルアセテートとしては、例えば、シクロヘキシルアセテート、シクロペンチルアセテート、シクロオクチルアセテート、メチルシクロヘキシルアセテート、エチルシクロヘキシルアセテート、プロピルシクロヘキシルアセテート、イソプロピルシクロヘキシルアセテート、ブチルシクロヘキシルアセテート、イソブチルシクロヘキシルアセテート、ｓ−ブチルシクロヘキシルアセテート、ｔ−ブチルシクロヘキシルアセテート、ペンチルシクロヘキシルアセテート等のＣ1-5アルキル基等の置換基を有しているシクロアルキルアセテート；３員〜１５員のシクロアルキルアセテート等を挙げることができる。
【００２６】
アルキレングリコールとしては、例えば、エチレングリコール、プロピレングリコール、１，３−プロパンジオール、１，３−ブチレングリコール、１，４−ブタンジオール、１，５−ペンタンジオール、１，６−ヘキサンジオール等を挙げることができる。
【００２７】
アルキレングリコールジアセテートとしては、例えば、エチレングリコールジアセテート、プロピレングリコールジアセテート、１，３−プロパンジオールジアセテート、１，３−ブチレングリコールジアセテート、１，４−ブタンジオールジアセテート、１，５−ペンタンジオールジアセテート、１，６−ヘキサンジオールジアセテート等を挙げることができる。
【００２８】
アルキレングリコールモノアルキルエーテルとしては、例えば、エチレングリコールモノメチルエーテル、エチレングリコールモノエチルエーテル、エチレングリコールモノプロピルエーテル、エチレングリコールモノブチルエーテル、エチレングリコールモノペンチルエーテル等のエチレングリコールモノＣ1-5アルキルエーテル；プロピレングリコールモノメチルエーテル、プロピレングリコールモノエチルエーテル、プロピレングリコールモノプロピルエーテル、プロピレングリコールモノブチルエーテル、プロピレングリコールモノペンチルエーテル等のプロピレングリコールモノＣ1-5アルキルエーテル等を挙げることができる。
【００２９】
アルキレングリコールジアルキルエーテルとしては、例えば、エチレングリコールジメチルエーテル、エチレングリコールジエチルエーテル、エチレングリコールジプロピルエーテル、エチレングリコールジブチルエーテル、エチレングリコールジペンチルエーテル等のエチレングリコールＣ1-5アルキルＣ1-5アルキルエーテル；プロピレングリコールジメチルエーテル、プロピレングリコールジエチルエーテル、プロピレングリコールジプロピルエーテル、プロピレングリコールジブチルエーテル、プロピレングリコールジペンチルエーテル等のプロピレングリコールＣ1-5アルキルＣ1-5アルキルエーテル等を挙げることができる。
【００３０】
アルキレングリコールモノアルキルエーテルアセテートとしては、例えば、エチレングリコールモノメチルエーテルアセテート、エチレングリコールモノエチルエーテルアセテート、エチレングリコールモノプロピルエーテルアセテート、エチレングリコールモノブチルエーテルアセテート、エチレングリコールモノペンチルエーテルアセテート等のエチレングリコールモノＣ1-5アルキルエーテルアセテート；プロピレングリコールモノエチルエーテルアセテート、プロピレングリコールモノプロピルエーテルアセテート、プロピレングリコールモノブチルエーテルアセテート、プロピレングリコールモノペンチルエーテルアセテート等のプロピレングリコールモノＣ1-5アルキルエーテルアセテート等を挙げることができる（異性体を含む）。
【００３１】
ジアルキレングリコールモノアルキルエーテルとしては、例えば、ジエチレングリコールモノメチルエーテル、ジエチレングリコールモノエチルエーテル、ジエチレングリコールモノプロピルエーテル、ジエチレングリコールモノブチルエーテル、ジエチレングリコールモノペンチルエーテル等のジエチレングリコールモノＣ1-5アルキルエーテル；ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノペンチルエーテル等のジプロピレングリコールモノＣ1-5アルキルエーテル等を挙げることができる（異性体を含む）。
【００３２】
ジアルキレングリコールジアルキルエーテルとしては、例えば、ジエチレングリコールジメチルエーテル、ジエチレングリコールジエチルエーテル、ジエチレングリコールジプロピルエーテル、ジエチレングリコールジブチルエーテル、ジエチレングリコールジペンチルエーテル等のジエチレングリコールＣ1-5アルキルＣ1-5アルキルエーテル；ジプロピレングリコールジメチルエーテル、ジプロピレングリコールジエチルエーテル、ジプロピレングリコールジプロピルエーテル、ジプロピレングリコールジブチルエーテル、ジプロピレングリコールジペンチルエーテル等のジプロピレングリコールＣ1-5アルキルＣ1-5アルキルエーテル等を挙げることができる（異性体を含む）。
【００３３】
ジアルキレングリコールモノアルキルエーテルアセテートとしては、例えば、ジエチレングリコールモノメチルエーテルアセテート、ジエチレングリコールモノプロピルエーテルアセテート、ジエチレングリコールモノブチルエーテルアセテート、ジエチレングリコールモノペンチルエーテルアセテート等のジエチレングリコールモノＣ1-5アルキルエーテルアセテート；ジプロピレングリコールモノエチルエーテルアセテート、ジプロピレングリコールモノプロピルエーテルアセテート、ジプロピレングリコールモノブチルエーテルアセテート、ジプロピレングリコールモノペンチルエーテルアセテート等のジプロピレングリコールモノＣ1-5アルキルエーテルアセテート等を挙げることができる（異性体を含む）。
【００３４】
トリアルキレングリコールモノアルキルエーテルとしては、例えば、トリエチレングリコールモノメチルエーテル、トリエチレングリコールモノエチルエーテル、トリエチレングリコールモノプロピルエーテル、トリエチレングリコールモノブチルエーテル、トリエチレングリコールモノペンチルエーテル等のトリエチレングリコールモノＣ1-5アルキルエーテル；トリプロピレングリコールモノメチルエーテル、トリプロピレングリコールモノエチルエーテル、トリプロピレングリコールモノプロピルエーテル、トリプロピレングリコールモノブチルエーテル、トリプロピレングリコールモノペンチルエーテル等のトリプロピレングリコールモノＣ1-5アルキルエーテル等を挙げることができる（異性体を含む）。
【００３５】
トリアルキレングリコールモノアルキルエーテルアセテートとしては、例えば、トリエチレングリコールモノメチルエーテルアセテート、トリエチレングリコールモノエチルエーテルアセテート、トリエチレングリコールモノプロピルエーテルアセテート、トリエチレングリコールモノブチルエーテルアセテート、トリエチレングリコールモノペンチルエーテルアセテート等のトリエチレングリコールモノＣ1-5アルキルエーテルアセテート；トリプロピレングリコールモノメチルエーテルアセテート、トリプロピレングリコールモノエチルエーテルアセテート、トリプロピレングリコールモノプロピルエーテルアセテート、トリプロピレングリコールモノブチルエーテルアセテート、トリプロピレングリコールモノペンチルエーテルアセテート等のトリプロピレングリコールモノＣ1-5アルキルエーテルアセテート等を挙げることができる（異性体を含む）。
【００３６】
テルペン系化合物とその誘導体としては、例えば、ターピネオール、ターピネオールアセテート、ジヒドロターピネオール、ジヒドロターピニルアセテート、ジヒドロターピニルプロピオネート、リモネン、メンタン、メントール等を挙げることができる。
【００３７】
本発明に係る積層セラミック部品製造用溶剤組成物は、上記構成により、エチルセルロース等のバインダー樹脂のバインダー性能を十分に発揮させることができ、被塗布面部材への侵食を生じることなく微細パターン又は薄膜を精度良く形成することができ、且つ、蒸発乾燥が容易で積層セラミック部品の生産効率を著しく向上させることができる。本発明に係る積層セラミック部品製造用溶剤組成物は、例えば、コンデンサ、インダクタ、バリスタ、サーミスタ、スピーカ、アクチュエータ、アンテナ、固体酸化物燃料電池（SOFC）などの積層セラミック部品（特に、積層セラミックコンデンサ）製造用溶剤組成物として有用である。
【実施例】
【００３８】
以下に、実施例に基づいて本発明をより詳細に説明するが、本発明はこれらの実施例により何ら限定されるものではない。
【００３９】
実施例１〜７、比較例１〜６
下記表１に記載の溶剤組成物中に、ポリビニルブチラール樹脂として商品名「エスレックＢＬ−Ｓ」（積水化学（株）製）、商品名「エスレックＢＬ−１」（積水化学（株）製）、商品名「エスレックＢＨ−３」（積水化学（株）製）及び、エチルセルロースとして商品名「エトセルＳＴＤ」（ダウ・ケミカル社製）をそれぞれ樹脂濃度が５重量％になるように添加し、液温６５℃で３時間加熱溶解し、放冷した。
【００４０】
評価
実施例及び比較例において、液温６５℃で３時間加熱溶解操作を行った時点（下記表で「６５℃」と表記）と、その後、室温（２５℃）で放冷した時点（下記表で「室温」と表記）において、目視観察により各樹脂が各溶剤組成物に対して溶解性を示すか否かを下記の基準で評価するとともに、各溶剤組成物の溶剤性能を下記の基準で総合的に評価した。
＜樹脂溶解性の評価基準＞
◎：樹脂がすべて溶解した。
○：樹脂がほぼ溶解した。
△：樹脂が一部溶解した。
×：樹脂が不溶であった。
＜溶剤組成物の溶剤性能の評価基準＞
「エスレックＢＬ−Ｓ」、「エスレックＢＬ−１」、「エスレックＢＨ−３」のいずれに対しても、室温（２５℃）で不溶解性（△または×）を示し、且つ「エトセルＳＴＤ」を完溶する（◎）溶剤組成物：○（シートアタック現象が起こりにくく、且つエチルセルロースのバインダー性能を発揮させることができる）
上記以外の溶剤組成物：×
【００４１】
【表１】
0005514022.tif 000002
表中の略号は以下の通りである。
ＤＰＮＭＰ：ジプロピレングリコールメチルプロピルエーテル（ダイセル化学工業（株製）
ＥＬＡ：乳酸エチルアセテート（ダイセル化学工業（株）製）
ＰＮＢＭ：プロピレングリコールブチルメチルエーテル（ダイセル化学工業（株）製）
ＰＮＭＰ：プロピレングリコールメチルプロピルエーテル（ダイセル化学工業（株）製）
ＤＰＮＢＭ：ジプロピレングリコールブチルメチルエーテル（ダイセル化学工業（株）製）
ＰＮＭＰＥ：プロピレングリコールメチルペンチルエーテル（ダイセル化学工業（株）製）
ＤＰＮＭＰＥ：ジプロピレングリコールメチルペンチルエーテル（ダイセル化学工業（株）製）
α−ＴＰＯ：α−ターピネオール（東京化成工業（株）製、試薬）
メンタノール：ジヒドロターピネオール（日本香料薬品（株）製）
メンタノールＡＣ：ジヒドロターピニルアセテート（日本香料薬品（株）製）
トリアセチン：グリセリントリアセテート（ダイセル化学工業（株）製）
ＤＭＭ：ジプロピレングリコールジメチルエーテル（ダイセル化学工業（株）製）
ジグライム：ジエチレングリコールジメチルエーテル（和光純薬工業（株）製、試薬）